(57)【要約】【課題】表示性能を維持しながら、消費電力が低減された液晶表示装置を提供する。【課題を解決する手段】赤色、緑色及び青色画素値を含む第１画像信号を受信し、第１画像信号に基づいて、１フレーム分の伸長係数値を決定する伸長係数演算回路と、第１画像信号と伸長係数値を受信する画像信号処理回路と、を備え、画像信号処理回路は、第１画像信号を赤色、緑色、青色及び白色画素値を含む第２画像信号に変換する画像信号変換回路と、第２画像信号を伸長係数値に基づいて伸長する伸長処理回路と、伸長された第２画像信号を解析して、第２画像信号に含まれる赤色、緑色及び青色が所定の閾値以下であるか否かを判定する画像信号解析回路と、第２画像信号に含まれる赤色、緑色及び青色画素値のうちのいずれかが所定の閾値を超過している場合、所定の閾値に対する超過量に基づいて、伸長された第２画像信号を調整する調整回路と、を備える信号処理装置。【選択図】図４
2019008019.tif 000002
【特許請求の範囲】
【請求項１】
赤色画素値、緑色画素値及び青色画素値を含む第１画像信号を受信し、前記第１画像信号に基づいて、１フレームに対する伸長係数値を決定する伸長係数演算回路と、
前記第１画像信号と前記伸長係数値を受信する画像信号処理回路と、
を備え、
前記画像信号処理回路は、
前記第１画像信号を赤色画素値、緑色画素値、青色画素値及び白色画素値を含む第２画像信号に変換する画像信号変換回路と、
前記第２画像信号を前記伸長係数値に基づいて伸長する伸長処理回路と、
伸長された前記第２画像信号を解析して、前記第２画像信号に含まれる前記赤色画素値、前記緑色画素値及び前記青色画素値が所定の閾値以下であるか否かを判定する画像信号解析回路と、
前記第２画像信号に含まれる前記赤色画素値、前記緑色画素値及び前記青色画素値のうちのいずれかが前記所定の閾値を超過している場合、前記所定の閾値に対する超過量に基づいて、前記伸長された第２画像信号を調整する調整回路と、
を備える、信号処理装置。
【請求項２】
前記画像信号変換回路は、２つの前記第１画像信号を１つの前記第２画像信号に変換する、請求項１に記載の信号処理装置。
【請求項３】
前記画像信号変換回路は、
前記２つの第１画像信号のうち一方の第１画像信号に含まれる第１赤色画素値、第１緑色画素値及び第１青色画素値のうちの最小値である第１最小値を特定し、
前記２つの第１画像信号のうち他方の第１画像信号に含まれる第２赤色画素値、第２緑色画素値及び第２青色画素値のうちの最小値である第２最小値を特定し、
前記第１最小値及び前記第２最小値のうちの一方に基づいて、前記第２画像信号の白色画素値を算出し、
前記第１最小値及び前記第２最小値のうちの他方と、前記第１赤色画素値、第１緑色画素値及び第１青色画素値それぞれの前記第１最小値との差分値と、前記第２赤色画素値、第２緑色画素値及び第２青色画素値それぞれの前記第２最小値との差分値とに基づいて、前記第２画像信号の赤色画素値、緑色画素値、青色画素値を算出する、請求項２に記載の信号処理装置。
【請求項４】
前記画像信号変換回路は、
前記第１最小値に基づいて前記第１赤色画素値、前記第１緑色画素値及び前記第１青色画素値を減少させて前記第３赤色画素値、前記第３緑色画素値及び前記第３青色画素値を算出し、
前記第２最小値に基づいて前記第２赤色画素値、前記第２緑色画素値及び前記第２青色画素値を減少させて前記第４赤色画素値、前記第４緑色画素値及び前記第４青色画素値を算出し、
前記第３赤色画素値と前記第４赤色画素値との平均値である平均赤色画素値、前記第３緑色画素値と前記第４緑色画素値との平均値である平均緑色画素値、及び前記第３青色画素値と前記第４青色画素値との平均値である平均青色画素値を算出し、
前記第１最小値及び前記第２最小値のうちの他方に基づいて、前記平均赤色画素値、前記平均緑色画素値、及び前記平均青色画素値を増加させることにより、前記第２画像信号の赤色画素値、緑色画素値、青色画素値を算出する、請求項３に記載の信号処理装置。
【請求項５】
前記調整回路は、前記第２画像信号に含まれる前記赤色画素値、前記緑色画素値及び前記青色画素値のうちのいずれかが前記所定の閾値を超過している場合、前記所定の閾値に対する超過量に基づいて、前記伸長された第２画像信号に含まれる前記赤色画素値、前記緑色画素値及び前記青色画素値を減少させ、前記白色画素値を増加させる、請求項１乃至４の何れか一項に記載の信号処理装置。
【請求項６】
前記伸長係数演算回路は、前記１フレーム分の前記第１画像信号に含まれる、前記赤色画素値、前記緑色画素値及び前記青色画素値のうちの最大値に基づいて、前伸長係数値を決定する、請求項１乃至５の何れか一項に記載の信号処理装置。
【請求項７】
画像を表示する表示パネルと、
前記表示パネルに光を供給するバックライトと、
前記表示パネルに画像電圧を供給するデータ駆動回路と、
前記バックライトを駆動するバックライト駆動回路と、
信号処理装置と、
を備え、
前記信号処理装置は、
赤色画素値、緑色画素値及び青色画素値を含む第１画像信号を受信し、１フレーム分の前記第１画像信号に基づいて、前記１フレームに対する伸長係数値を決定する伸長係数演算回路と、
前記第１画像信号と前記伸長係数値を受信する画像信号処理回路と、
を備え、
前記画像信号処理回路は、
前記第１画像信号を赤色画素値、緑色画素値、青色画素値及び白色画素値を含む第２画像信号に変換する画像信号変換回路と、
前記第２画像信号を前記伸長係数値に基づいて伸長する伸長処理回路と、
伸長された前記第２画像信号を解析して、前記第２画像信号に含まれる前記赤色画素値、前記緑色画素値及び前記青色画素値が所定の閾値以下であるか否かを判定する画像信号解析回路と、
前記第２画像信号に含まれる前記赤色画素値、前記緑色画素値及び前記青色画素値のうちのいずれかが前記所定の閾値を超過している場合、前記所定の閾値に対する超過量に基づいて、前記第２画像信号に含まれる前記赤色画素値、前記緑色画素値及び前記青色画素値を減少させ、前記白色画素値を増加させる調整回路と、
を備え、
前記バックライト駆動回路は、前記伸長係数値に基づいて前記バックライトを駆動させ、
前記データ駆動回路は、前記伸長された第２画像信号、又は前記第２画像信号に含まれる前記赤色画素値、前記緑色画素値及び前記青色画素値のうちのいずれかが前記所定の閾値を超過している場合、前記調整回路によって前記所定の閾値に対する超過量に基づいて調整された前記第２画像信号に基づいて、前記画像電圧を生成する、
表示装置。
【請求項８】
前記画像信号変換回路は、２つの前記第１画像信号を１つの前記第２画像信号に変換する、請求項７に記載の表示装置。
【請求項９】
前記画像信号変換回路は、
前記２つの第１画像信号のうち一方の第１画像信号に含まれる第１赤色画素値、第１緑色画素値及び第１青色画素値のうちの最小値である第１最小値を特定し、
前記２つの第１画像信号のうち他方の第１画像信号に含まれる第２赤色画素値、第２緑色画素値及び第２青色画素値のうちの最小値である第２最小値を特定し、
前記第１の最小値及び前記第２の最小値のうちの一方に基づいて、前記第２画像信号の白色画素値を算出し、
前記第１最小値及び前記第２最小値のうちの他方と、前記第１赤色画素値、第１緑色画素値及び第１青色画素値それぞれの前記第１最小値との差分値と、前記第２赤色画素値、第２緑色画素値及び第２青色画素値それぞれの前記第２最小値との差分値とに基づいて、前記第２画像信号の赤色画素値、緑色画素値、青色画素値を算出する、請求項８に記載の表示装置。
【請求項１０】
前記画像信号変換回路は、
前記第１最小値に基づいて前記第１赤色画素値、前記第１緑色画素値及び前記第１青色画素値を減少させて前記第３赤色画素値、前記第３緑色画素値及び前記第３青色画素値を算出し、
前記第２最小値に基づいて前記第２赤色画素値、前記第２緑色画素値及び前記第２青色画素値を減少させて前記第４赤色画素値、前記第４緑色画素値及び前記第４青色画素値を算出し、
前記第３赤色画素値と前記第４赤色画素値との平均値である平均赤色画素値、前記第３緑色画素値と前記第４緑色画素値との平均値である平均緑色画素値、及び前記第３青色画素値と前記第４青色画素値との平均値である平均青色画素値を算出し、
前記第１最小値及び前記第２最小値のうちの他方に基づいて、前記平均赤色画素値、前記平均緑色画素値、及び前記平均青色画素値を増加させることにより、前記第２画像信号の赤色画素値、緑色画素値、青色画素値を算出する、請求項９に記載の表示装置。
【請求項１１】
前記調整回路は、前記第２画像信号に含まれる前記赤色画素値、前記緑色画素値及び前記青色画素値のうちのいずれかが前記所定の閾値を超過している場合、前記所定の閾値に対する超過量に基づいて、前記伸長された第２画像信号に含まれる前記赤色画素値、前記緑色画素値及び前記青色画素値を減少させ、前記白色画素値を増加させる、請求項７乃至１０の何れか一項に記載の信号処理装置。
【請求項１２】
前記伸長係数演算回路は、前記１フレーム分の前記第１画像信号に含まれる、前記赤色画素値、前記緑色画素値及び前記青色画素値のうちの最大値に基づいて、前伸長係数値を決定する、請求項７乃至１１の何れか一項に記載の表示装置。
【発明の詳細な説明】
【技術分野】
【０００１】
本発明は、信号処理装置、及びそれを備える表示装置に関する。
【背景技術】
【０００２】
液晶表示装置は、テレビ、パーソナルコンピュータなどのＯＡ機器、モバイル用端末機器、デジタルサイネージなどの画像表示装置として様々な分野で利用されている。液晶表示装置が搭載される、上述したテレビやＯＡ機器、モバイル用端末機器などといった装置の高機能化に伴い、液晶表示装置の表示性能の向上及び低消費電力化が求められている。
【０００３】
液晶表示装置は、２つの配向膜の間に挟持された液晶層を含む表示パネルと、表示パネルに光を供給するバックライトを含む。液晶表示装置に用いられるバックライトの光源としては、冷陰極管（CCFL：Cold Cathode Fluorescent Lamp）、発光ダイオード（LED：Light Emitting Diode）が挙げられる。
【０００４】
液晶表示装置では、一般的に光の三原色である赤色、緑色及び青色（RGB）を表示する３つのサブ画素から１つの画素が構成されている。近年、画像の解像度や輝度の向上及び低消費電力化のために、一般的な赤色、緑色及び青色（RGB）のサブ画素に白色（W）のサブ画素を追加した赤色、緑色、青色及び白色（RGBW）を表示する４つのサブ画素を含んでいる画素が表示パネルに適用された画像表示装置が提案されている（例えば、特許文献１）。このような画像表示装置では、外部から入力されたRGB画像信号を変換して当該画像表示装置に適したRGBW画像信号を生成する。白色（W）のサブ画素を用いることにより、輝度効率を向上させることができるため、バックライトの発光光量を低減することができる。
【０００５】
また、バックライトでの消費電力を低減するために、画像信号を伸長し、画像信号を伸長した分、バックライトの発光光量を下げて、バックライトの消費電力を低減する方法が知られている（例えば、特許文献２）。
【先行技術文献】
【特許文献】
【０００６】
【特許文献１】特開２０１２−２７３９７号公報
【特許文献２】特開平１１−６５５３１号公報
【発明の概要】
【発明が解決しようとする課題】
【０００７】
液晶表示装置のさらなる低消費電力化のために、以上に述べた２つのバックライトの消費電力を低減するための方法を組み合わせることが考えられる。つまり、１画素に含まれる赤色、緑色、青色及び白色（RGBW）を表示するためのRGBW画像信号を伸長し、その分バックライトの発光光量を下げることによって、画像の解像度や輝度などを維持しながらバックライトでの消費電力を低減する方法が考えられる。しかしながら、RGB画像信号を変換してRGBW画像信号を生成し、生成されたRGBW画像信号を伸長する場合、オーバーフローが発生して画像の色相がシフトしてしまい、元のRGB画像信号に基づく画像を表示することができないという問題がある。
【０００８】
本発明に係る一実施形態は、表示性能を維持しながら、消費電力が低減された液晶表示装置を提供することを課題の一つとする。
【課題を解決するための手段】
【０００９】
本発明の一実施形態に係る信号処理装置は、赤色画素値、緑色画素値及び青色画素値を含む第１画像信号を受信し、前記第１画像信号に基づいて、１フレームに対する伸長係数値を決定する伸長係数演算回路と、前記第１画像信号と前記伸長係数値を受信する画像信号処理回路と、を備え、前記画像信号処理回路は、前記第１画像信号を赤色画素値、緑色画素値、青色画素値及び白色画素値を含む第２画像信号に変換する画像信号変換回路と、前記第２画像信号を前記伸長係数値に基づいて伸長する伸長処理回路と、伸長された前記第２画像信号を解析して、前記第２画像信号に含まれる前記赤色画素値、前記緑色画素値及び前記青色画素値が所定の閾値以下であるか否かを判定する画像信号解析回路と、前記第２画像信号に含まれる前記赤色画素値、前記緑色画素値及び前記青色画素値のうちのいずれかが前記所定の閾値を超過している場合、前記所定の閾値に対する超過量に基づいて、前記伸長された第２画像信号を調整する調整回路と、を備える。
【００１０】
本発明の一実施形態に係る表示装置は、画像を表示する表示パネルと、前記表示パネルに光を供給するバックライトと、前記表示パネルに画像電圧を供給するデータ駆動回路と、前記バックライトを駆動するバックライト駆動回路と、信号処理装置と、を備え、前記信号処理装置は、赤色画素値、緑色画素値及び青色画素値を含む第１画像信号を受信し、１フレーム分の前記第１画像信号に基づいて、前記１フレームに対する伸長係数値を決定する伸長係数演算回路と、前記第１画像信号と前記伸長係数値を受信する画像信号処理回路と、を備え、前記画像信号処理回路は、前記第１画像信号を赤色画素値、緑色画素値、青色画素値及び白色画素値を含む第２画像信号に変換する画像信号変換回路と、前記第２画像信号を前記伸長係数値に基づいて伸長する伸長処理回路と、伸長された前記第２画像信号を解析して、前記第２画像信号に含まれる前記赤色画素値、前記緑色画素値及び前記青色画素値が所定の閾値以下であるか否かを判定する画像信号解析回路と、前記第２画像信号に含まれる前記赤色画素値、前記緑色画素値及び前記青色画素値のうちのいずれかが前記所定の閾値を超過している場合、前記所定の閾値に対する超過量に基づいて、前記第２画像信号に含まれる前記赤色画素値、前記緑色画素値及び前記青色画素値を減少させ、前記白色画素値を増加させる調整回路と、を備え、前記バックライト駆動回路は、前記伸長係数値に基づいて前記バックライトを駆動させ、前記データ駆動回路は、前記伸長された第２画像信号、又は前記第２画像信号に含まれる前記赤色画素値、前記緑色画素値及び前記青色画素値のうちのいずれかが前記所定の閾値を超過している場合、前記調整回路によって前記所定の閾値に対する超過量に基づいて調整された前記第２画像信号に基づいて、前記画像電圧を生成する。
【図面の簡単な説明】
【００１１】
【図１】本発明の一実施形態に係る液晶表示装置の概要を示すブロック図である。
【図２】画素の構造の一例を示す概略図である。
【図３】サブ画素の画素回路の構成の一例を示す回路図である。
【図４】信号処理装置の構成の一例を示すブロック図である。
【図５】２つの画素に対する２つの第１画像信号を第２画像信号に変換すること説明するための概略図である。
【図６】２つの第１画像信号を第２画像信号へ変換する方法の一例を説明するための概略図である。
【図７】２つの第１画像信号を第２画像信号へ変換する方法の一例を説明するための概略図である。
【図８】伸長した第２画像信号の解析を説明するための概略図である。
【図９】伸長後の第２画像信号の調整を説明するための概略図である。
【発明を実施するための形態】
【００１２】
以下に、本発明の各実施の形態について、図面を参照しつつ説明する。なお、開示はあくまで一例にすぎず、本発明は、その要旨を逸脱しない範囲において様々な態様で実施することができ、以下に例示する実施形態の記載内容に限定して解釈されるものではない。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１３】
本明細書および特許請求の範囲において、ある構造体の上に他の構造体を配置する態様を表現するにあたり、単に「上に」と表記する場合、特に断りの無い限りは、ある構造体に接するように、直上に他の構造体を配置する場合と、ある構造体の上方に、さらに別の構造体を介して他の構造体を配置する場合との両方を含むものとする。
【００１４】
［全体構成］
以下、本発明の一実施形態に係る液晶表示装置について、図１〜図９を参照して説明する。図１は、本発明の一実施形態に係る液晶表示装置の概要を示すブロック図である。液晶表示装置１００は、外部から入力される画像信号ｉoに基づいて画像を表示する。液晶表示装置１００は、液晶パネル１０１、バックライト１０３、信号処理装置１０５、ゲート駆動回路１０７、データ駆動回路１０９及びバックライト駆動回路１１１を含む。
【００１５】
液晶パネル１０１は、バックライト１０３からの光を画像信号ｉoに基づいて変調して、画像信号ｉoに基づく画像を表示する。液晶パネル１０１は、複数の画素２００を有する。複数の画素２００は、マトリクス状に配置されていてもよい。
【００１６】
図２は、画素２００の構造の一例を示す概略図である。図２に示すように、画素２００は、赤色（R）を表示するサブ画素２０１Ｒ、緑色（G）を表示するサブ画素２０１Ｇ、青色（B）を表示するサブ画素２０１Ｂ、及び白色（W）を表示するサブ画素２０１Ｗを有する。サブ画素２０１Ｒ、２０１Ｇ、２０１Ｂには、それぞれ対応するカラーフィルタが設けられる。サブ画素２０１Ｒには赤色（R）に対応するカラーフィルタ２０３Ｒが設けられ、サブ画素２０１Ｇには緑色（G）に対応するカラーフィルタ２０３Ｇが設けられ、サブ画素２０１Ｂには、青色（B）に対応するカラーフィルタ２０３Ｂが設けられる。
【００１７】
図３は、各サブ画素２０１Ｒ、２０１Ｇ、２０１Ｂ、２０１Ｗの画素回路の構成の一例を示す回路図である。各サブ画素２０１Ｒ、２０１Ｇ、２０１Ｂ、２０１Ｗの画素回路は、ＴＦＴ３０１、液晶素子３０３を有している。各サブ画素２０１Ｒ、２０１Ｇ、２０１Ｂ、２０１Ｗは、駆動する画素を選択するためのゲート線Ｇｍ（ｍは自然数）と、駆動される画素に画像電圧を供給するデータ線Ｄｎ（ｎは自然数）に電気的に接続される。
【００１８】
ＴＦＴ３０１は、画像電圧を液晶素子３０３の供給するスイッチング素子である。ＴＦＴ３０は、ＭＯＳＦＥＴであってもよい。ＴＦＴ３０のゲートは、ゲート線Ｇｍに電気的に接続される。ＴＦＴ３０の一端は、液晶素子３０３に電気的に接続され、他端はデータ線Ｄｎに電気的に接続される。
【００１９】
液晶素子３０３は、一対の電極（図示せず）と、該一対の電極間に挟持された液晶層（図示せず）とを含む。液晶層は、例えば、ＴＮ（Twisted Nematic）液晶、ＶＡ（Vertical Alignment）液晶、ＩＰＳ（In Place Switching）液晶を含む。液晶素子３０３の一対の電極のうち、一方の電極は、ＴＦＴ３０１の一端に電気的に接続されて、データ線Ｄｎを介して供給される画像電圧を受ける。液晶素子３０３の一対の電極のうち、他方の電極は、共通電圧を供給する配線（図示せず）に電気的に接続され、共通電圧を受ける。尚、他方の電極は、接地されていてもよい。
【００２０】
バックライト１０３は、液晶表示パネル１０１に光を供給する光源部である。バックライト１０３の光源としては、冷陰極管（CCFL：Cold Cathode Fluorescent Lamp）、発光ダイオード（LED：Light Emitting Diode）などが用いられる。
【００２１】
信号処理装置１０５は、外部から液晶表示装置１００に入力される各種信号を処理する。信号処理装置１０５は、赤色（R）画素値、緑色（G）画素値及び青色（B）画素値を含む画像信号ｉo（以下、第１画像信号ｉoという）、水平同期信号（HSYNC）、垂直同期信号（VSYNC）、クロック信号（CLK）などが入力される。
【００２２】
信号処理装置１０５は、赤色（R）画素値、緑色（G）画素値及び青色（B）画素値を含む第１画像信号ｉoを、４つのサブ画素２０１Ｒ、２０１Ｇ、２０１Ｂ、２０１Ｗから構成された画素２００を含む液晶表示パネルに適した赤色（R）画素値、緑色（G）画素値、青色（B）画素値及び白色（W）画素値を含む画像信号ｉc（以下、第２画像信号ｉcという）に変換する。ここでは、第１画素信号ｉoの画素値は、輝度値として扱っている。入力信号が階調値である場合は、階調値から輝度値に変換するのが望ましい。なお、階調値から輝度値への変換は、一般的に８ビットの信号である場合、一例として以下の式を用いることができる。
（輝度値）＝２５５×（階調値／（２8−１））2.2
後述する説明では、画素値（輝度値）の最大を２５５としているが、式中の２５５の値を増やして、それ以上で計算しても構わない。また、出力される第２画像信号ｉcの画素値も輝度値として扱われるため、データ駆動回路の入力の前に、階調値に変換することもある。この時、輝度値から階調値への変換は、第２画像信号ｉcが８ビットの信号である場合、一例として以下の式を用いることができる。
（階調値）＝２５５×（輝度値／（２8−１））0.45
【００２３】
信号処理装置１０５は、第１画像信号ｉoに基づいて１フレーム毎の伸長係数値αを決定し、決定した伸長係数値αに基づいて、対応するフレームの第２画像信号ｉcを伸長する。信号処理装置１０５は、伸長係数値αに基づいてバックライト１０３の発光レベルを示すバックライト信号ＢＬｓを生成する。信号処理装置１０５の詳細な構成は、後述する。
【００２４】
信号処理装置１０５は、外部から液晶表示装置１００に入力される、水平同期信号（HSYNC）、垂直同期信号（VSYNC）、クロック信号（CLK）などに基づいて、タイミング制御信号を生成する信号生成部（図示せず）を含んでもよい。タイミング制御信号は、ゲート駆動制御信号、データ駆動制御信号、バックライト駆動制御信号などを含んでもよい。信号処理装置１０５は、ゲート駆動制御信号、データ駆動制御信号、バックライト駆動制御信号を後述するゲート駆動回路１０７、データ駆動回路１０９及びバックライト駆動回路１１１に出力し、ゲート駆動回路１０７、データ駆動回路１０９及びバックライト駆動回路１１１の駆動を制御してもよい。
【００２５】
ゲート駆動回路１０７は、ゲート線Ｇｍにゲート信号Ｇｓを供給して、液晶表示パネル１０１の各画素２００を選択的に駆動する。データ駆動回路１０９は、データ線Ｄｎに第２画像信号ｉcに基づく画像電圧を各画素２００（各サブ画素２０１Ｒ、２０１Ｇ、２０１Ｂ、２０１Ｗ）に供給する。バックライト駆動部１１１は、バックライト信号ＢＬｓに基づいて、バックライト１０３の発光レベルを制御する。
【００２６】
［信号処理装置の構成］
以下、図４〜図９を参照して、信号処理装置１０５の構成を詳細に説明する。図４は、信号処理装置１０５の構成の一例を示すブロック図である。信号処理装置１０５は、伸長係数演算回路４０１と、画像信号処理回路４０３とを含む。画像振動処理回路４０３は、画像信号変換回路４０５、伸長処理回路４０９、画像信号解析回路４０９及び調整回路４１１を有する。
【００２７】
伸長係数演算回路４０１は、第１画像信号ｉoに基づいて伸長係数値αを決定する。伸長係数値αは、１フレーム毎に決定される。伸長係数演算回路４０１は、第１画像信号ｉoに含まれる、赤色（R）画素値、緑色（G）画素値及び青色（B）画素値に基づいて当該フレームの伸長係数値αを決定する。伸長係数演算回路４０１は、１フレーム分の画像信号ｉoに含まれる、赤色（R）画素値、緑色（G）画素値及び青色（B）画素値に基づいて当該フレームの伸長係数値αを決定してもよい。伸長係数演算回路４０１は、１フレーム分の赤色（R）画素値、緑色（G）画素値及び青色（B）画素値のうちの最大値に基づいて伸長係数値αを決定する。例えば、１フレーム分の赤色（R）画素値、緑色（G）画素値及び青色（B）画素値のうちの最小値が、当該フレーム分の赤色（R）画素値、緑色（G）画素値及び青色（B）画素値のうちの最大値の１／２未満である場合、１フレーム分の赤色（R）画素値、緑色（G）画素値及び青色（B）画素値のうちの最小値が、当該フレーム分の赤色（R）画素値、緑色（G）画素値及び青色（B）画素値のうちの最大値の１／２以上である場合よりも、伸長係数値αが相対的に大きくなってもよい。また、伸長係数演算回路４０１は、１フレーム分の第１画像信号ｉoに単色が含まれている場合、当該フレームの伸長係数値αを１としてもよい。尚、伸長係数演算回路４０１は、１フレームにおける所定の画素に対する画像信号ｉoに含まれる、赤色（R）画素値、緑色（G）画素値及び青色（B）画素値に基づいて当該フレームの伸長係数値αを決定してもよい。伸長係数演算回路４０１は、決定した伸長係数値αを後述する画像信号処理回路４０３の伸長処理回路４０７に出力する。また、伸長係数演算回路４０１は、決定した伸長係数値αに基づいてバックライト１０３の発光レベルを示すバックライト信号ＢＬｓを生成してバックライト駆動回路１０７に出力する。ここで、バックライト信号ＢＬｓは、バックライトの発光レベルを１／αにすることを示す信号である。
【００２８】
画像信号変換回路４０５は、サブピクセルレンダリング処理によって、赤色（R）画素値、緑色（G）画素値及び青色（B）画素値を含む第１画像信号ｉoを、４つのサブ画素２０１Ｒ、２０１Ｇ、２０１Ｂ、２０１Ｗから構成された画素２００を含む液晶表示パネルに適した赤色（R）画素値、緑色（G）画素値、青色（B）画素値及び白色（W）画素値を含む第２画像信号ｉcに変換する。具体的には、画像信号変換回路４０５は、赤色（R）サブ画素、緑色（G）サブ画素、及び青色（B）サブ画素からそれぞれ構成される、連続する２つの画素に対する２つの第１画像信号ｉoを、４つのサブ画素２０１Ｒ、２０１Ｇ、２０１Ｂ、２０１Ｗから構成された１つの画素２００に対する第２画像信号ｉcに変換する。
【００２９】
図５は、画像信号変換回路４０５によって行われる、連続する２つの画素に対する２つの第１画像信号ｉoを第２画像信号ｉcに変換すること説明するための概略図である。図５に示すように、画像信号変換回路４０５は、赤色（R）サブ画素、緑色（G）サブ画素、及び青色（B）サブ画素からそれぞれ構成され、行方向に連続する２つの画素ＰX、ＰX+1（Ｘは自然数）に対する第１画像信号ｉoを、赤色（R）サブ画素２０１Ｒ、緑色（G）サブ画素２０１Ｇ、青色（B）サブ画素２０１Ｂ、白色（W）サブ画素２０１Ｗから構成された１つの画素２００に対する第２画像信号ｉcに変換する。
【００３０】
図６及び図７は、画像信号変換回路４０５によって行われる、２つの第１画像信号ｉoを第２画像信号ｉcへ変換する方法の一例を説明するための概略図である。図６及び図７では、一例として、赤色（R）サブ画素、緑色（G）サブ画素、及び青色（B）サブ画素からそれぞれ構成される、行方向に連続する２つの画素ＰX、ＰX+1に対する２つの第１画像信号ｉoを、赤色（R）サブ画素２０１Ｒ、緑色（G）サブ画素２０１Ｇ、青色（B）サブ画素２０１Ｂ、白色（W）サブ画素２０１Ｗから構成された１つの画素ＰYに対する第２画像信号ｉcに変換する方法を説明している。図６及び図７において、画素ＰXの赤色サブ画素、緑色サブ画素、及び青色サブ画素に対する画素値をそれぞれ、第１赤色画素値ＲX、第１緑色画素値ＧX、第１青色画素値ＢXとし、画素ＰX+1の赤色サブ画素、緑色サブ画素、及び青色サブ画素に対する画素値をそれぞれ、第２赤色画素値ＲX+1、第２緑色画素値ＧX+1、第３青色画素値ＢX+1とする。
【００３１】
画像信号変換回路４０５は、２つの画素ＰX、ＰX+1に対する２つの第１画像信号ｉoを色成分ＣCと白成分ＣWに分離する。画像信号変換回路４０５は、画素ＰXに対する第１画像信号ｉoに含まれる第１赤色画素値ＲX、第１緑色画素値ＧX及び第１青色画素値ＢXの中から最小値である画素値（以下、第１最小値という）を特定する。例えば、図７に示すように、画素ＰXに対する第１画像信号ｉoに含まれる第１赤色画素値ＲXが２５４であり、第１緑色画素値ＧXが２５４であり、第１青色画素値ＢXが１５４である場合、第１最小値は青色画素値ＢXである１５４である。
【００３２】
画像信号変換回路４０５は、特定した第１最小値１５４に基づいて、画素ＰXに対する第１画像信号ｉoを色成分ＣCと白成分ＣWに分離する。具体的には、画像信号変換回路４０５は、第１赤色画素値ＲX、第１緑色画素値ＧX、第１青色画素値ＢXにおける第１最小値１５４を、画素ＰXに対する第１画像信号ｉoの白成分ＣWに対応する画素値として特定する。
【００３３】
画像信号変換回路４０５は、第１赤色画素値ＲX、第１緑色画素値ＧX、第１青色画素値ＢXそれぞれから白成分ＣWに対応する第１最小値を減算した画素値を色成分ＣCとする。画素ＰXに対する第１画像信号ｉoに含まれる第１赤色画素値ＲX、第１緑色画素値ＧX、第１青色画素値ＢXの白成分ＣWがそれぞれ１５４である場合、第１赤色画素値ＲX、第１緑色画素値ＧX、第１青色画素値ＢXそれぞれから１５４を減少させた画素値を画素ＰXに対する第１画像信号ｉoの色成分ＣCに対する画素値として特定する。つまり、画素ＰXに対する第１画像信号ｉoにおける第１赤色画素値ＲXの色成分ＣCは１００であり、第１緑色画素値ＧXの色成分ＣCは１００であり、第１青色画素値ＢXの色成分ＣCは０である。以下、画素ＰXに対する第１画像信号ｉoにおける赤色画素値ＲX、緑色画素値ＧX、及び青色画素値ＢXの色成分ＣCを、それぞれ第３赤色画素値、第３緑色画素値、及び第３青色画素値という。
【００３４】
同様に、画像信号変換回路４０５は、画素ＰX+1に対する第１画像信号ｉoに含まれる第２赤色画素値ＲX+1、第２緑色画素値ＧX+1及び第２青色画素値ＢX+1の中から最小値である画素値（以下、第２最小値という）を特定する。例えば、図７に示すように、画素ＰX+1に対する第１画像信号ｉoに含まれる第２赤色画素値ＲX+1が１２８であり、第２緑色画素値ＧX+1が１２８であり、第２青色画素値ＢX+1が５２である場合、第２最小値は青色画素値ＢX+1である５２である。
【００３５】
画像信号変換回路４０５は、特定した第２最小値５２に基づいて、画素ＰX+1に対する第１画像信号ｉoを色成分ＣCと白成分ＣWに分離する。具体的には、画像信号変換回路４０５は、第２赤色画素値ＲX+1、第２緑色画素値ＧX+1、第２青色画素値ＢX+1における第２最小値５２を、画素ＰX+1に対する第１画像信号ｉoの白成分ＣWに対応する画素値として特定する。
【００３６】
画像信号変換回路４０５は、第２赤色画素値ＲX+1、第２緑色画素値ＧX+1、第２青色画素値ＢX+1それぞれから白成分ＣWに対応する第２最小値を減算した画素値を色成分ＣCとする。画素ＰX+1に対する第１画像信号ｉoに含まれる第２赤色画素値ＲX+1、第２緑色画素値ＧX+1、第２青色画素値ＢX+1の白成分ＣWがそれぞれ５２である場合、第２赤色画素値ＲX+1、第２緑色画素値ＧX+1、第２青色画素値ＢX+1それぞれから５２を減少させた画素値を画素ＰX+1に対する第１画像信号ｉoの色成分ＣCに対する画素値として特定する。つまり、画素ＰX+1に対する第１画像信号ｉoにおける第２赤色画素値ＲX+1の色成分ＣCは７６であり、第２緑色画素値ＧX+1の色成分ＣCは７６であり、第２青色画素値ＢX+1の色成分ＣCは０である。以下、画素ＰX+1に対する第１画像信号ｉoにおける赤色画素値ＲX+1、緑色画素値ＧX+1、及び青色画素値ＢX+1の色成分ＣCを、それぞれ第４赤色画素値、第４緑色画素値、及び第４青色画素値という。
【００３７】
画像信号変換回路４０５は、画素ＰXに対する第１画像信号ｉoにおける赤色画素値ＲX、緑色画素値ＧX、及び青色画素値ＢXの色成分ＣCである第３赤色画素値、第３緑色画素値、及び第３青色画素値と、画素ＰX+1に対する第１画像信号ｉoにおける赤色画素値ＲX+1、緑色画素値ＧX+1、及び青色画素値ＢX+1の色成分ＣCである第４赤色画素値、第４緑色画素値、及び第４青色画素値との平均値をそれぞれ算出する。つまり、画像信号変換回路４０５は、第３赤色画素値と第４赤色画素値との平均値（以下、平均赤色画素値という）、第３緑色画素値と第４緑色画素値との平均値（以下、平均緑色画素値という）、及び第３青色画素値と第４青色画素値との平均値（以下、平均青色画素値という）をそれぞれ算出する。例えば、図７に示すように、第３赤色画素値が１００、第３緑色画素値が１００、第３青色画素値が０であり、第４赤色画素値が７６であり、第４緑色画素値が７６であり、第４青色画素値が０である場合、平均赤色画素値は８８であり、平均緑色画素値は８８であり、平均青色画素値は０となる。
【００３８】
画像信号変換回路４０５は、画素ＰXに対する第１画像信号ｉoにおける赤色画素値ＲX、緑色画素値ＧX、及び青色画素値ＢXの白成分ＣWである第１最小値と、画素ＰX+1に対する第１画像信号ｉoにおける赤色画素値ＲX+1、緑色画素値ＧX+1、及び青色画素値ＢX+1の白成分ＣWである第２最小値とをそれぞれ１／２倍し、１／２倍した第１最小値及び１／２倍した第２最小値のうち一方を、赤色サブ画素、緑色サブ画素、青色サブ画素、及び白色サブ画素から構成された画素ＰYに対する第２画像信号ｉcの白色画素値ＷYとし、他方を画素ＰYに対する第２画像信号ｉcの赤色画素値ＲY、緑色画素値ＧY、青色画素値ＢYにおける白成分として算出する。図７に示すように、ここでは、第２最小値５２の１／２である２６を画素ＰYに対する第２画像信号ｉcの白色画素値ＷYとする。
【００３９】
画像信号変換回路４０５は、１／２倍した第１最小値及び１／２倍した第２最小値のうち他方に基づいて、平均赤色画素値、平均緑色画素値、及び平均青色画素値を増加させて第画素ＰYに対する第２画像信号ｉcの赤色画素値ＲY、緑色画素値ＧY、青色画素値ＢYを算出する。上述したように、１／２倍した第１最小値及び１／２倍した第２最小値のうち他方は、画素ＰYに対する第２画像信号ｉcの赤色画素値ＲY、緑色画素値ＧY、青色画素値ＢYにおける白成分である。図７に示すように、ここでは、第１最小値１５４の１／２である７７に基づいて平均赤色画素値８８、平均緑色画素値８８、及び平均青色画素値０を増加させる。つまり、画素ＰYに対する第２画像信号ｉcの赤色画素値ＲY、緑色画素値ＧY、青色画素値ＢYは、平均赤色画素値８８、平均緑色画素値８８、及び平均青色画素値０のそれぞれに白成分ＣWである７７を足した値となる。したがって、画素ＰYに対する第２画像信号ｉcの赤色画素値ＲY、緑色画素値ＧY、青色画素値ＢYは、それぞれ１６５、１６５、７７となる。
【００４０】
このように、画素ＰXに対する第１画像信号ｉoにおける赤色画素値ＲX、緑色画素値ＧX、及び青色画素値ＢXの白成分ＣWである第１最小値に基づいて画素ＰYに対する第２画像信号ｉcの赤色画素値ＲY、緑色画素値ＧY、青色画素値ＢYに増加させることにより、画素ＰXに白成分を画素ＰYに反映する。また、画素ＰX+1に対する第１画像信号ｉoにおける赤色画素値ＲX+1、緑色画素値ＧX+1、及び青色画素値ＢX+1の白成分ＣWである第２最小値を、第２画像信号ｉcの白色画素値ＷYとする。これにより、第１画像信号ｉoに基づく画素ＰXと画素ＰX+1との輝度比を、画素ＰYの赤色サブ画素、緑色サブ画素及び青色サブ画素と白色サブ画素との輝度比に反映することができる。このことにより、少なくとも白成分に関しては、画素ＰYは入力信号の２画素分の解像度を表現することが可能となる。
【００４１】
画像信号変換回路４０５は、以上に述べたように、連続する２つの画素に対する２つの第１画像信号ｉoを第２画像信号ｉcに変換する。尚、以上に述べた第１画像信号ｉoから第２画像信号ｉcへの変換処理は、一例であって、これに限定されるわけではない。画像信号変換回路４０５は、算出した画素ＰYの赤色画素値ＲY、緑色画素値ＧY、青色画素値ＢY及び白色画素値ＷYを含む第２画像信号ｉcを伸長処理回路４０７に出力する。
【００４２】
伸長処理回路４０７は、赤色画素値ＲY、緑色画素値ＧY、青色画素値ＢY及び白色画素値ＷYを含む第２画像信号ｉcを画像信号変換回路４０５から取得する。また、伸長処理回路４０７は、伸長係数値αを伸長係数演算回路４０１から取得する。伸長処理回路４０７は、伸長係数値αに基づいて、第２画像信号ｉcを伸長する。具体的には、伸長処理回路４０７は、伸長係数値αに基づいて、第２画像信号ｉcに含まれる赤色画素値ＲY、緑色画素値ＧY、青色画素値ＢY及び白色画素値ＷYを伸長する。伸長処理回路４０７は、伸長係数値αに基づいて伸長した赤色画素値ＲY、緑色画素値ＧY、青色画素値ＢY及び白色画素値ＷYを含む第２画像信号ｉcを画像信号解析回路４０９に出力する。
【００４３】
画像信号解析回路４０９は、伸長した赤色画素値ＲY、緑色画素値ＧY、青色画素値ＢY及び白色画素値ＷYを含む第２画像信号ｉcを伸長処理回路４０７から取得する。画像信号解析回路４０９は、伸長した赤色画素値ＲY、緑色画素値ＧY、青色画素値ＢY及び白色画素値ＷYを含む第２画像信号ｉcを解析して、第２画像信号ｉcに含まれる赤色画素値ＲY、緑色画素値ＧY及び青色画素値ＢYが所定の閾値以下であるか否かを判定する。
【００４４】
図８は、画像信号解析回路４０９によって行われる、伸長した第２画像信号ｉcの解析を説明するための概略図である。一例として、伸長係数値αが１．７である場合を説明する。画素ＰYに対する第２画像信号ｉcの赤色画素値ＲY、緑色画素値ＧY、青色画素値ＢY及び白色画素値ＷYが、それぞれ１６５、１６５、７７、２６である場合、伸長処理回路４０７から出力される伸長後の第２画像信号ｉcに含まれる赤色画素値ＲY、緑色画素値ＧY、青色画素値ＢY及び白色画素値ＷYは、それぞれ２８２、２８２、１３１、４４である。（少数点以下は、四捨五入した。）画像信号解析回路４０９は、伸長後の第２画像信号ｉcに含まれる赤色画素値ＲY、緑色画素値ＧY及び青色画素値ＢYがそれぞれ所定の閾値以下であるか否かを判定する。ここでは、所定の閾値を２５５であるとする。この場合、画像信号解析回路４０９は、伸長後の第２画像信号ｉcに含まれる赤色画素値ＲY、緑色画素値ＧY及び青色画素値ＢYのうち、赤色画素値ＲY及び緑色画素値ＧYが所定の閾値を超過していると判定する。
【００４５】
画像信号解析回路４０９は、伸長後の第２画像信号ｉcと、伸長後の第２画像信号ｉcに含まれる赤色画素値ＲY、緑色画素値ＧY及び青色画素値ＢYが所定の閾値以下であるか否かを示す信号とを調整回路４１１に出力する。
【００４６】
調整回路１１１は、画像信号解析回路４０９から伸長後の第２画像信号ｉcと、伸長後の第２画像信号ｉcに含まれる赤色画素値ＲY、緑色画素値ＧY及び青色画素値ＢYが所定の閾値以下であるか否かを示す信号とを取得する。取得した伸長後の第２画像信号ｉcに含まれる赤色画素値ＲY、緑色画素値ＧY及び青色画素値ＢYが所定の閾値以下である場合、調整回路４１１は、取得した伸長後の第２画像信号ｉcをそのまま出力する。一方、取得した伸長後の第２画像信号ｉcに含まれる赤色画素値ＲY、緑色画素値ＧY及び青色画素値ＢYの少なくとも１つが所定の閾値を超過している場合、調整回路４１１は、所定の閾値に対する超過量に基づいて、伸長後の第２画像信号ｉcに含まれる赤色画素値ＲY、緑色画素値ＧY、青色画素値ＢY及び白色画素値ＷYを調整する。調整回路４１１は、伸長後の第２画像信号ｉcに含まれる赤色画素値ＲY、緑色画素値ＧY及び青色画素値ＢYのうち所定の閾値を超過している画素値が複数ある場合、最大の超過量に基づいて赤色画素値ＲY、緑色画素値ＧY、青色画素値ＢY及び白色画素値ＷYを調整する。
【００４７】
図９は、調整回路４１１によって行われる、伸長後の第２画像信号ｉcの調整を説明するための概略図である。伸長後の第２画像信号ｉcに含まれる赤色画素値ＲY、緑色画素値ＧY及び青色画素値ＢYのうち、赤色画素値ＲY及び緑色画素値ＧYが所定の閾値を超過している場合、調整回路４１１は、赤色画素値ＲY及び緑色画素値ＧYのうちのいずれか一方の所定の閾値に対する超過量に基づいて、伸長後の第２画像信号ｉcに含まれる赤色画素値ＲY、緑色画素値ＧY、青色画素値ＢY及び白色画素値ＷYを調整する。ここで、伸長後の第２画像信号ｉcに含まれる赤色画素値ＲY、緑色画素値ＧY、青色画素値ＢY及び白色画素値ＷYは、それぞれ２８２、２８２、１３１、４４である場合、赤色画素値ＲY及び緑色画素値ＧYの所定の閾値に対する超過量は、ともに２６である。したがって、調整回路４１１は、赤色画素値ＲY及び緑色画素値ＧYの所定の閾値に対する超過量２６に基づいて、伸長後の第２画像信号ｉcに含まれる赤色画素値ＲY、緑色画素値ＧY、青色画素値ＢY及び白色画素値ＷYを調整する。
【００４８】
調整回路４１１は、伸長後の第２画像信号ｉcに含まれる赤色画素値ＲY、緑色画素値ＧY及び青色画素値ＢYから、赤色画素値ＲY及び緑色画素値ＧYの所定の閾値に対する超過量２６を減少させる。つまり、調整回路４１１は、伸長後の第２画像信号ｉcに含まれる赤色画素値ＲY、緑色画素値ＧY及び青色画素値ＢYを所定の閾値以下になるように調整する。調整後の赤色画素値ＲY、緑色画素値ＧY及び青色画素値ＢYは、それぞれ２５５、２５５、１０５となる。一方、調整回路４１１は、伸長後の第２画像信号ｉcに含まれる白色画素値ＷYを赤色画素値ＲY及び緑色画素値ＧYの所定の閾値に対する超過量２６だけ増加させる。調整後４１１の伸長後の第２画像信号ｉcに含まれる白色画素値ＷYは７０である。
【００４９】
このように、調整回路４１１は、伸長後の第２画像信号ｉcに含まれる赤色画素値ＲY、緑色画素値ＧY及び青色画素値ＢYのうち、赤色画素値ＲY及び緑色画素値ＧYが所定の閾値を超過している場合、所定の閾値に対する超過量に基づいて、伸長後の第２画像信号ｉcに含まれる赤色画素値ＲY、緑色画素値ＧY、青色画素値ＢY及び白色画素値ＷYを調整する。これにより、第２画像信号ｉcに基づく画像のオーバーフローによる色相のシフトを防止することができる。調整回路４１１は、調整後の赤色画素値ＲY、緑色画素値ＧY、青色画素値ＢY及び白色画素値ＷYを含む第２画像信号ｉcをデータ駆動回路１０９に出力する。
【００５０】
データ駆動回路１０９は、調整回路４１１から取得した第２画像信号ｉcに基づいて画像電圧を生成し、生成した画像電圧をデータ線Ｄｎに供給する。つまり、伸長後の第２画像信号ｉcに含まれる赤色画素値ＲY、緑色画素値ＧY及び青色画素値ＢYが所定の閾値以下である場合、データ駆動回路１０９は、調整回路４１１から取得した伸長後の第２画像信号ｉcに基づいて画像電圧を生成する。一方、伸長後の第２画像信号ｉcに含まれる赤色画素値ＲY、緑色画素値ＧY及び青色画素値ＢYのいずれかが所定の閾値を超過している場合、データ駆動回路１０９は、調整回路４１１によって所定の閾値に対する超過量に基づいて調整された調整後の第２画像信号ｉcに基づいて画像電圧を生成する。
【００５１】
バックライト駆動回路１１１は、伸長係数演算回路４０１から取得した、バックライトの発光レベルを１／αにすることを示すバックライト信号ＢＬｓに基づいて、バックライト１０３の発光レベルを制御する。１／αが１未満の場合、バックライト１０３の消費電力を低減することができる。
【００５２】
尚、超過量に基づいて、伸長後の第２画像信号ｉcに含まれる赤色画素値ＲY、緑色画素値ＧY、青色画素値ＢY及び白色画素値ＷYを調整することによって、もともとの白成分の解像度が悪くなることが懸念される。しかしながら、オーバーフローは、隣り合う２つの画素値の両方とも高い画素値である時に起こり、映像の解像感に影響のあるエッジ部分では、隣り合う２つの画素間でどちらかの画素値が必ず低くなる。そのため、エッジ部分では、２つの画素に対する第１画像ｉoの白成分を赤色（R）画素値、緑色（G）画素値、青色（B）画素値及び白色（W）画素値に分配しても、オーバーフローが発生しにくい。このため、本手段を用いたとしても解像感に影響するエッジなどの場所の解像度は維持することができる。
【００５３】
以上のように、本発明に係る一実施形態に係る液晶表示装置１００では、外部から入力された第１画像信号ｉoに応じて決定された伸長係数値αに基づいてバックライト１０３の発光レベルを１／αにすることによって、バックライト１０３での消費電力を低減することができる。また、赤色（R）画素値、緑色（G）画素値及び青色（B）画素値を含む第１画像信号ｉoを、赤色（R）画素値、緑色（G）画素値、青色（B）画素値及び白色（W）画素値を含む第２画像信号ｉcに変換し、伸長係数値αに基づいて該第２画像信号ｉcを伸長し、伸長した該第２画像信号ｉcの所定の閾値に対する超過量に基づいて、伸長後の第２画像信号ｉcを調整することにより、第２画像信号ｉcに基づく画像の色相のシフトを防止し、解像度を維持することが可能になる。したがって、液晶表示装置１００では、バックライト１０３の消費電力を低減しながら、画像の表示性能を維持することができる。
【００５４】
上述した本発明の実施形態の表示装置を基にして、当業者が適宜構成要素の追加、削除もしくは設計変更を行ったもの、または、工程の追加、省略もしくは条件変更を行ったものも、本発明の要旨を備えている限り、本発明の範囲に含まれる。また、上述した各実施形態の態様によりもたらされる作用効果とは異なる他の作用効果であっても、本明細書の記載から明らかなもの、または、当業者において容易に予測し得るものについては、当然に本発明によりもたらされるものと解される。
【符号の説明】
【００５５】
１００：液晶表示装置
１０１：液晶表示パネル
１０３：バックライト
１０５：信号処理装置
１０７：ゲート駆動回路
１０９：データ駆動回路
１１１：バックライト駆動回路
２００：画素
２０１Ｒ、２０１Ｇ、２０１Ｂ、２０１Ｗ：サブ画素
３０１：ＴＦＴ
３０３：液晶素子
【図１】
2019008019.tif 000003
【図２】
2019008019.tif 000004
【図３】
2019008019.tif 000005
【図４】
2019008019.tif 000006
【図５】
2019008019.tif 000007
【図６】
2019008019.tif 000008
【図７】
2019008019.tif 000009
【図８】
2019008019.tif 000010
【図９】
2019008019.tif 000011